(57)【要約】【課題】受光素子の位置ずれを防ぐとともに放熱特性を向上させ、信頼性の高い光ピックアップを提供する。【解決手段】受光素子４１と、受光素子４１を保持する受光素子ホルダー４２と、受光素子４１と接続されるフレキシブルプリント基板４３と、受光素子ホルダー４２と接続される光学基台１１とを備え、受光素子ホルダー４２はフレキシブルプリント基板４３を固定する第１の固定手段を有し、光学基台１１はフレキシブルプリント基板４３を固定する第２の固定手段を有する。【選択図】図１
2010186520.tif 000002
【特許請求の範囲】
【請求項１】
受光素子と、前記受光素子を保持する受光素子ホルダーと、前記受光素子と接続されるフレキシブルプリント基板と、前記受光素子ホルダーと接続される光学基台とを備え、前記受光素子ホルダーは前記フレキシブルプリント基板を固定する第１の固定手段を有し、前記光学基台は前記フレキシブルプリント基板を固定する第２の固定手段を有することを特徴とする光ピックアップ。
【請求項２】
前記第１の固定手段と前記第２の固定手段とを接続する接続部材を備えることを特徴とする請求項１に記載の光ピックアップ。
【請求項３】
前記第１の固定手段は前記受光素子ホルダーに形成された凸部であり、前記第２の固定手段は前記光学基台に形成された凸部であり、前記フレキシブルプリント基板は前記受光素子ホルダー及び前記光学基台に形成された凸部と対向する位置に第１の孔及び第２の孔を有し、前記受光素子ホルダー及び前記光学基台に形成されている凸部は前記第１の孔及び第２の孔に嵌め込まれていることを特徴とする請求項２に記載の光ピックアップ。
【請求項４】
前記接続部材が金属であることを特徴とする請求項２に記載の光ピックアップ。
【発明の詳細な説明】
【技術分野】
【０００１】
本発明は、光学式情報記録媒体に情報信号を記録もしくは再生するための光ピックアップに関する。
【背景技術】
【０００２】
光学式情報記録媒体である光ディスク等にオーディオ信号、文字信号及び映像信号等の情報を記録または再生する光学式情報記録再生装置には、光ピックアップが搭載されている。光ピックアップは主に、レーザー光を発する光源と、レーザー光の反射光を受光する光検出器とから構成されている。光ピックアップの光源から放射されるレーザー光が光ディスク等の情報記録面に照射されることで記録マークが記入され情報の記録が行われる。また、光ピックアップの光源から情報記録面に照射されたレーザー光の反射光を光ピックアップの光検出器で受光することで情報の再生が行われる。
【０００３】
従来の光ピックアップについて図４から図６を用いて説明する。図４は従来の光ピックアップ１０の構成を示す平面図である。図４に示すように、光ピックアップ１０は、光学基台１１と、光学基台１１に支持された光軸調整台１２と、光軸調整台１２に内包され半導体レーザー素子（図示せず）を備える光学パッケージ１３と、半導体レーザー素子からの出射光と光ディスクからの反射光とを分離するビームスプリッター１４と、半導体レーザー素子から出射されたレーザー光を平行光にするコリメーターレンズ１５と、コリメーターレンズ１５を通り立上げミラー（図示せず）により上方に折り曲げられたレーザー光を光ディスクの情報記録面に焦点を合わせるための対物レンズ１７と、対物レンズ１７を光ディスクに対してフォーカス方向またはトラッキング方向に駆動させるアクチュエーター１８と、光ディスクで反射したレーザー光２３ａを検出する受光部２０を備えている。受光部２０は受光素子２１と、受光素子２１を保持して光学基台１１に実装する受光素子ホルダー２２を備えている。光学基台１１は２本のシャフト１９に貫通され、軸方向に移動が可能である。
【０００４】
光ピックアップ１０を組み立てるときは、光軸調整台１２を用いて、光軸調整台１２の内部に設置されている半導体レーザー素子の光軸を調整した後、光軸調整台１２を光学基台１１に固定する。さらに光ディスクで反射したレーザー光２３ａの光軸を受光素子２１の所望の箇所に入射するように受光素子ホルダー２２の位置を調整した後、受光素子ホルダー２２を光学基台１１に固定する。
【０００５】
図５は従来の光ピックアップ１０の受光部２０の構成を示す斜視図であり、図６は図５におけるＡ−Ａ断面図である。図５、図６に示すようにレーザー光２３ａを受光する受光素子２１を保持した受光素子ホルダー２２は、接着剤２４により光学基台１１に固定されている。受光素子２１の背面にはフレキシブルプリント基板２６の端部がハンダ２５により接続されている。フレキシブルプリント基板２６の他端は光学基台１１に実装されている。ここでフレキシブルプリント基板２６は、光学基台１１と受光素子２１とを接続するために直角に折り曲げられている。また特許文献１には同様にフレキシブルプリント基板が直角に折り曲げられて受光素子の前面に接続されている構成が示されている。
【特許文献１】特開２００５−３３９７０９号公報
【発明の開示】
【発明が解決しようとする課題】
【０００６】
しかしながら前述の従来例や特許文献１に示した従来の光ピックアップ１０ではフレキシブルプリント基板２６が受光素子２１の背面または前面に直角に折り曲げられて固定されており、図６においてフレキシブルプリント基板２６が熱膨張等によって矢印２７のような伸びや変形が生じて移動すると、受光素子２１のハンダ接続部に矢印２８で示すような垂直方向の大きな応力がかかる構造になっている。このため温度変化によりフレキシブルプリント基板２６の応力が変動し受光素子２１が位置ずれを起こすという課題がある。さらに受光素子２１の放熱が充分でなく特性が不安定になるという課題もある。
【０００７】
本発明は上記課題を解決するためになされたもので、受光素子と受光素子ホルダーに対するフレキシブルプリント基板の移動を規制することで受光素子の位置ずれを防ぐとともに放熱特性を向上させ、信頼性の高い光ピックアップを提供することを目的とする。
【課題を解決するための手段】
【０００８】
上述の目的を達成するために、本発明の光ピックアップは、受光素子と、受光素子を保持する受光素子ホルダーと、受光素子と接続されるフレキシブルプリント基板と、受光素子ホルダーと接続される光学基台とを備え、受光素子ホルダーはフレキシブルプリント基板を固定する第１の固定手段を有し、光学基台はフレキシブルプリント基板を固定する第２の固定手段を有する。
【０００９】
このような構成によれば、フレキシブルプリント基板は第１の固定手段、及び第２の固定手段で固定されて移動が規制されるため受光素子の位置ずれを防ぎ、信頼性の高い光ピックアップを実現することができる。
【００１０】
また、第１の固定手段と第２の固定手段とを接続する接続部材を備えていてもよい。このような構成によれば、フレキシブルプリント基板の移動をより確実に規制することができるとともに受光素子の熱を高効率に光学基台に放熱することができる。
【００１１】
さらに、第１の固定手段は受光素子ホルダーに形成された凸部であり、第２の固定手段は光学基台に形成された凸部であり、フレキシブルプリント基板は受光素子ホルダー及び光学基台に形成された凸部と対向する位置に第１の孔及び第２の孔を有し、受光素子ホルダー及び光学基台に形成されている凸部は第１の孔及び第２の孔に嵌め込まれていてもよい。
【００１２】
このような構成によれば、簡単な構成でフレキシブルプリント基板の移動をより確実に規制することができる。
【００１３】
さらに、接続部材が金属であってもよい。このような構成によれば、接続部材の熱伝導率が高くなり、受光素子の熱をさらに高効率に光学基台に放熱することが可能となる。
【発明の効果】
【００１４】
本発明の光ピックアップによれば、受光素子と受光素子ホルダーに対するフレキシブルプリント基板の移動を規制することで受光素子の位置ずれを防ぐとともに放熱特性を向上させ、信頼性の高い光ピックアップを実現することができる。
【発明を実施するための最良の形態】
【００１５】
以下、本発明の具体的な実施形態について図面を用いて説明する。
【００１６】
（実施の形態）
本発明の実施の形態における光ピックアップについて図１から図３を用いて説明する。図１から図３において、図４から図６と同じ構成部については同じ符号を用いる。
【００１７】
図３は本発明の実施の形態における光ピックアップ１とそれを用いた光学式情報記録再生装置の全体構成を示す斜視図である。ここで光ピックアップ１内部の光学部品は位置関係を分かりやすくするために実線で表示している。
【００１８】
図３において、光学式ディスクドライブである記録再生装置３０は、トラバースベース３１と、トラバースベース３１上に設置された駆動台３２と、駆動台３２に固定された２本のシャフト３３ａ、３３ｂと、２本のシャフト３３ａ、３３ｂに貫通され軸方向に移動可能に構成された光ピックアップ１と、トラバースベース３１に設置されたスピンドルモーター３４と、スピンドルモーター３４により回転するモーターシャフト３５とを備えている。モーターシャフト３５の端部はカートリッジ３６に内蔵された光ディスク３７の中心部に連結されていて、スピンドルモーター３４の回転により光ディスク３７が回転する構成となっている。光ディスク３７はカートリッジ３６により保護されているが、カートリッジ３６には開口部３６ａが形成されていて、開口部３６ａでは光ディスク３７が外部に露呈されている。
【００１９】
光ピックアップ１は、光学基台１１と、光学基台１１に支持された半導体レーザー素子（図示せず）を内包する光学パッケージ１３と、半導体レーザー素子からの出射光と光ディスクからの反射光とを分離するビームスプリッター１４と、半導体レーザー素子から出射されたレーザー光を平行光にするコリメーターレンズ１５と、コリメーターレンズ１５を通り立上げミラー１６により上方に折り曲げられたレーザー光を光ディスク３７の情報記録面に焦点を合わせるための対物レンズ１７と、対物レンズ１７を光ディスク３７に対してフォーカス方向またはトラッキング方向に駆動させるアクチュエーター１８と、光ディスク３７で反射したレーザー光２３ａを検出し光学基台１１に実装される受光部４０とを備えている。
【００２０】
駆動台３２に固定された２本のシャフト３３ａ、３３ｂのうちの１つのシャフト３３ａは、光ピックアップ１のベースとなる光学基台１１を軸方向に案内するもので、もう１つのシャフト３３ｂは、支持台のモーター３８により、その軸を中心として回転する構成となっている。シャフト３３ｂには光学基台１１に係合する送りネジが形成されておりシャフト３３ｂが回転することで、光ピックアップ１が光ディスク３７の半径方向に移動する。光ディスク３７の回転をスピンドルモーター３４で調整し、光ピックアップ１を光ディスク３７の半径方向に移動することで、対物レンズ１７から出射されるレーザー光２３ｂを、光ディスク３７の情報記録面における所望の位置に照射することができる。レーザー光２３ｂを、光ディスク３７の情報記録面に照射することで光ディスク３７に記録マークを記入し情報の記録を行う。また、レーザー光２３ｂを情報記録面に照射し、これから反射したレーザー光２３ａを受光部４０で検出することにより情報の再生を行う。
【００２１】
図１は本発明の実施の形態における光ピックアップ１の受光部４０の実装状態を示す断面図であり、図２は図１におけるＢ矢視図である。図１、図２において受光部４０は光ディスク３７で反射したレーザー光２３ａを受光する受光素子４１と、受光素子４１を保持する受光素子ホルダー４２と、受光素子４１と接続されるフレキシブルプリント基板４３と、受光素子ホルダー４２と接続される光学基台１１とを備えている。受光素子ホルダー４２と光学基台１１は接着剤２４で固定されている。また、受光素子ホルダー４２、光学基台１１にはピン４４、４５が設けられている。フレキシブルプリント基板４３はピン４４、４５に対向する位置に孔４３ａ、４３ｂを有し、ピン４４、４５が隙間無く嵌め込まれて固定されている。さらにフレキシブルプリント基板４３の上部にはピン４４、４５に対向する位置に孔４６ａ、４６ｂを有する金属製の接続部材４６が設けられ、同様に、ピン４４、４５が隙間無く嵌め込まれて固定されている。ピン４５周辺はさらに接着剤４７でより確実に固定されている。
【００２２】
このような構成によりフレキシブルプリント基板４３はピン４４、４５で固定されて移動や変形が規制されるため受光素子４１の位置ずれを防ぎ、信頼性の高い光ピックアップ１を実現することができる。金属製の接続部材４６を設けることでフレキシブルプリント基板４３の移動や変形をより確実に規制することができるとともに受光素子４１の熱を高効率に光学基台１１に放熱することができる。なお接続部材４６は銅板または銅箔が望ましいがアルミニウム板や鉄板等、金属であれば有効である。またフレキシブルプリント基板４３と受光素子ホルダー４２、光学基台１１との固定手段としてピン４４、４５を用いる例を示したが、ネジ等一般に知られているその他の固定手段を用いてもよい。
【００２３】
このように本発明の光ピックアップによれば、受光素子と受光素子ホルダーに対するフレキシブルプリント基板の移動を規制することで受光素子の位置ずれを防ぐとともに放熱特性を向上させ、信頼性の高い光ピックアップを実現することができる。
【産業上の利用可能性】
【００２４】
本発明の光ピックアップは、フレキシブルプリント基板の移動や変形による受光素子の位置ずれと受光素子の高熱化を防止し、高い信頼性を有するので、大容量の記録媒体からの読み出しや、高倍速記録を行う光学式情報記録再生装置等に有用である。
【図面の簡単な説明】
【００２５】
【図１】本発明の実施の形態における光ピックアップの受光部の実装状態を示す断面図
【図２】図１におけるＢ矢視図
【図３】本発明の実施の形態における光ピックアップとそれを用いた光学式情報記録再生装置の全体構成を示す斜視図
【図４】従来の光ピックアップの構成を示す平面図
【図５】従来の光ピックアップの受光部の構成を示す斜視図
【図６】図５におけるＡ−Ａ断面図
【符号の説明】
【００２６】
１，１０    光ピックアップ
１１    光学基台
１２    光軸調整台
１３    光学パッケージ
１４    ビームスプリッター
１５    コリメーターレンズ
１６    立上げミラー
１７    対物レンズ
１８    アクチュエーター
１９，３３ａ，３３ｂ    シャフト
２０，４０    受光部
２１，４１    受光素子
２２，４２    受光素子ホルダー
２３ａ    （光ディスクで反射した）レーザー光
２３ｂ    （対物レンズから出射される）レーザー光
２４，４７    接着剤
２５    ハンダ
２６，４３    フレキシブルプリント基板
３０    記録再生装置
３１    トラバースベース
３２    駆動台
３４    スピンドルモーター
３５    モーターシャフト
３６    カートリッジ
３６ａ    （カートリッジの）開口部
３７    光ディスク
３８    モーター
４３ａ，４３ｂ    （フレキシブルプリント基板の）孔（第１の孔及び第２の孔）
４４    （受光素子ホルダーの）ピン（凸部）
４５    （光学基台の）ピン（凸部）
４６    接続部材
４６ａ，４６ｂ    （接続部材の）孔
【図１】
2010186520.tif 000003
【図２】
2010186520.tif 000004
【図３】
2010186520.tif 000005
【図４】
2010186520.tif 000006
【図５】
2010186520.tif 000007
【図６】
2010186520.tif 000008